(57)【特許請求の範囲】
【請求項１】
除細動器用の除細動電極セットであって、前記除細動器は、取り付けられた当該除細動電極セットのインピーダンスを検知し、当該電極セットは、前記除細動器に当該電極セットを接続するアダプターケーブルを含み、
一対の電極であり、各々の電極は支持層、金属層、前記金属層に重ねられたジェル層、及び前記ジェル層をカバーする剥離ライナーを有する、一対の電極、並びに、前記金属層を前記アダプターケーブルへの接続に適するよう、電極コネクタに電気的に接続する電極ケーブル、さらに
前記アダプターケーブルに接続された前記電極コネクタと共に前記電極を使用前に保管するフォイルエンベロープ、
を有し、
各電極の、導電層と前記フォイルエンベロープの壁との間に位置する誘電体の層の厚さが、前記誘電体の層に関するキャパシタンスが一定値を超過しないように選択され、前記一定値は、前記フォイルエンベロープがない状態での当該電極セットのキャパシタンスと、前記アダプターケーブルのキャパシタンスとの組合せにおいて、前記除細動器の閾値レベルを超えない大きさであり、前記除細動器により検知されるキャパシタンスが前記閾値レベルを超えるとき、前記電極が患者にあてられたと前記除細動器が認識し、
前記導電層は、前記金属層及びジェル層を含み、さらに、厚さが選択される前記誘電体の層は前記剥離ライナーを含み、
前記剥離ライナーの層は、約０．１５８７ｃｍの厚さを有する、除細動電極セット。
【請求項２】
前記厚さが選択される誘電体の層は、前記剥離ライナーである、請求項１に記載の除細動電極セット。
【請求項３】
前記厚さが選択される誘電体の層は、前記支持層をさらに含む、請求項１に記載の除細動電極セット。
【請求項４】
前記支持層は、０．１５８７ｃｍ以上の厚さを有する、請求項１に記載の除細動電極セット。
【請求項５】
前記剥離ライナーの層は、更にポリエチレン発泡体層を有する、請求項１に記載の除細動電極セット。
【請求項６】
前記支持層は、約０．１５８７ｃｍの厚さを有する、請求項３に記載の除細動電極セット。
【請求項７】
前記支持層は、更にポリエチレン発泡体層を有する、請求項６に記載の除細動電極セット。
【請求項８】
前記除細動器は、除細動器電極コネクタと、該電極コネクタに接続されるキャパシタンス測定回路とを更に有し、
前記アダプターケーブルは前記除細動器電極コネクタに接続され、
前記除細動器は、更に、前記測定回路により測定されたキャパシタンスを閾値レベルと比較するように作動する、
請求項１に記載の除細動電極セット。
【請求項９】
前記除細動器は、前記測定されたキャパシタンスが前記閾値を超えるとき、当該除細動電極セットによって生成される信号を表示するように更に作動する、請求項８に記載の除細動電極セット。
【請求項１０】
前記除細動器は、前記測定されたキャパシタンスが前記閾値未満のとき、ＥＣＧグラフの線を表示するように更に作動する、請求項８に記載の除細動電極セット。
【発明の詳細な説明】
【技術分野】
【０００１】
本発明は、患者のＥＣＧ信号を検知する除細動器・モニタに関し、特に、体外式の除細動器・モニタであって事前接続された電極を有し、不全収縮の誤表示の発生を低減するものに関する。
【背景技術】
【０００２】
除細動器は、様々な不整脈を処置するのに一般的に使用され、電気的チャージを心臓に加えることで、不整脈を中断して心臓の通常の電気刺激を自然に再開させるものである。除細動器は、慢性症状に備えて体内に移植されることが可能であり、そこでは、除細動器は、心臓の電気的な動きをモニタし、異常な動きが検知されたときはいつでも、適切な電気パルスをかけることができる。体外式の除細動器は、パドル又は接着性の電極を使用して、胸壁を通じて必要なショックを加える。除細動器・モニタは、除細動パルスを与えるだけでなく、様々な生理的パラメーター、例えば心拍数、血圧、血中酸素濃度などをモニタすることができ、電気的治療処置後の患者の状態を判断するのに助けになる。
【０００３】
体外式の除細動器は、移植可能な除細動器であっても、一般的には、患者によって継続的に着用されることはないが、不整脈が検知されたときには患者にかけられる。心室細動の場合には、これは通常患者が無意識になったときである。ＶＦ（心室細動）は、数分以内に処置されなければ致命的な状態なので、緊急救助期間は、必要なときには事実上即時の使用のため、その除細動器をしばしば用意するだろう。実行される準備としては、その除細動器への電極を事前接続しておくことである。予め接続された電極は、医療的緊急時が発生したときに電極を接続するステップを省くだけでなく、除細動器が保管されている間に、除細動器に、この特徴を備えていれば、その電極状態を自己診断させることができる。
【０００４】
体外式自動除細動器（ＡＥＤ）と二次救命処置（ＡＬＳ）除細動器は、電極の様々な事前接続方法に向いている。ＡＥＤは、小さくかつ携帯可能であり、患者のところへすぐに運ぶことができ、その患者の傍で使用することができる。患者への距離が近いので、通常の３から６フィートの電極ケーブルは、必要十分である。しかし、救急処置室や救急車で一般的に使用されるＡＬＳ除細動器は、しばしば壁に架けられるか、又はカートや担架で運ばれるだろう。これらの除細動器は、それゆえ、しばしばＡＥＤの場合のように患者の近くにあるものではない。従って、アダプターケーブルは、９から１２フィートの長さかもしれず、つまり、電極パッドケーブルをあわせると、除細動器と電極パッドの間は、１５フィート以上のケーブルになるかもしれない。
【０００５】
例えばPhilips社の除細動器・モニタMRx（商標）などの除細動器は、積極的に電極接続をモニタし、その電極が患者にかけられときを感知することができ、すぐにＥＣＧモニタリングを開始することができる。その除細動器・モニタは、除細動器に接続された、アダプターケーブル・電極・患者の組合せのインピーダンスを検知することができる。アダプターケーブルと電極を単にモニタリングするときは、除細動器は、これらのコンポーネントのキャパシタンスを見るだけであり、キャパシタンスの測定は、きわめて低くなるだろう。これらの状況の下で、その除細動器・モニタは、ＥＣＧディスプレイに直線図を生成する。そのキャパシタンスはその電極が患者にあてられていないからである。電極が患者にあてられるときは、キャパシタンスが閾値レベル以上に増加し、患者のＥＣＧ信号が受信され、そのディスプレイは、ＥＣＧ信号を表示するように作動される。それから、臨床医又は除細動器は（自動モードのとき）、その患者の状態を診断し処置を始めることができる。
【発明の概要】
【発明が解決しようとする課題】
【０００６】
しかし、電極がアダプターケーブルと事前接続されているときは、仮に最小限でも、閾値レベルを超えるキャパシタンスが生成され得ることが分かった。除細動器・モニタは、ディスプレイを作動し、直線図を電極により供給される信号に変更する。しかし、電極が患者にあてられていないときは、その除細動器は、結果として生じた低レベルノイズを不全収縮状態として解釈し、処置をしている臨床医にアラートやアラームを発し始めることがある。こうした保障されていないアラートやアラームは、患者の生命が危機にあり、すでに混乱した状況であるかもしれない中では、崩壊的状態を招きかねない。従って、電極が患者にあてられる前、事前接続の間、接続されたアダプターケーブルと電極の組合せが、その除細動器により、患者の不全収縮状態とみなされることを防ぐのが望ましい。
【課題を解決するための手段】
【０００７】
本発明の原理に従えば、除細動器に事前接続された、アダプターケーブルと電極の組合せのキャパシタンスが低減されるが、それは、アダプターケーブルと電極ケーブルのキャパシタンスへのいかなる変化によるものではなく、バッグやポーチ、そこには電極がパッケージされる、によって生成されるキャパシタンスのコントロールによって低減される。頑丈で、気密の電極用筐体を提供するため、電極がパッケージされているバッグやポーチは、一般的には、積層金属フォイルで製作される。本発明者は、キャパシタンスは、電極とフォイルバック（foil  bag）の金属との間で生成されることを発見した。このキャパシタンスは、除細動器によって認識されるアダプターケーブルと電極ケーブルとに寄与する。このキャパシタンスは、フォイルバックやポーチの壁面に対向する電極側面の高誘電体を用いることにより低減され、それにより、除細動器が過剰なキャパシタンス、それは誤って不全収縮状態とみなされるかもしれない、を検知するのを防ぐ。
【図面の簡単な説明】
【０００８】
【図１】図１は、ブロックダイアグラムの形式で、本発明の原理に従って構成した除細動器・モニタを示す。
【図２】図２は、図１の除細動器・モニタのディスプレイを示す。
【図３】図３は、本発明の原理に従って構成したアダプターケーブルと電極セットを示す。
【図４】図４は、図３のパッケージされた電極の部分的な断面図を示す。
【図５ａ】図５ａは、アダプターケーブルと電極セットに事前接続されたとき、除細動器モニタが認識することがあるキャパシタンスを示す。
【図５ｂ】フォイルエンベロープ（foil  envelope）内の２つの電極パッドのパッケージ方法を示し、結果として電気回路と等価である。
【図５ｃ】フォイルエンベロープ内の２つの電極パッドのパッケージ方法を示し、結果として電気回路と等価である。
【図５ｄ】フォイルエンベロープ内の２つの電極パッドのパッケージ方法を示し、結果として電気回路と等価である。
【図５ｅ】フォイルエンベロープ（foil  envelope）内の２つの電極パッドのパッケージ方法を示し、結果として電気回路と等価である。
【図５ｆ】フォイルエンベロープ内の２つの電極パッドのパッケージ方法を示し、結果として電気回路と等価である。
【図５ｇ】フォイルエンベロープ内の２つの電極パッドのパッケージ方法を示し、結果として電気回路と等価である。
【図６】図６は、本発明の電極パッドの構成を示す。
【図７】図７は、本発明の原理に従った他の電極パッドセットの構成を示す。
【図８】図８は、本発明の原理に従った他の電極パッドセットの構成を示す。
【発明を実施するための形態】
【０００９】
はじめに図１を参照すると、本発明の原理に従って構成した除細動器・モニタが、ブロックダイアグラムの形式で示されている。図１に示される機器は、心室細動になっている患者の除細動を実行することができる。その機器は、自動的に除細動の決定をするのに必要な、心臓のモニタリングを含み、ＥＣＧモニタリングの実行もすることができる。図示されたモニタは、ＳｐＯ２酸素を感知したり、非外科的な血圧のモニタリング、そして呼気終末ＣＯ２のモニタリングも可能である。非外科的血圧モニタリングや患者の体温モニタリングなどの他の機能は、そうしたマルチファンクショナルな機器において提供されてもよい。モニタは、患者のフロントエンド（front  end）を複数有しており、それらのフロントエンドは、その患者に取り付けたセンサーの入力回路である。この回路は、通常の検知、増幅回路を含み、ＥＣＧ電極用、光学酸素センサー用、血圧検知用、そして二酸化炭素検知用などに用いられる。患者のフロントエンドのひとつは、除細動器・モニタに接続された電極パッドのインピーダンスを検知するための入力回路である。その電極コネクター入力は、インピーダンスの測定回路１８に接続され、その測定回路は、電極コネクター入力に接続されたコンポーネントのインピーダンスを測定する。患者のセンサーで受信され、フロントエンド回路１０で処理される情報は、フロントエンドＡ／Ｄコンバーター１２でデジタル化される。そのデジタル化された情報は、コミュニケーションバス６０によって機器の処理回路に接続され、そのコミュニケーションバスは、この機器の様々なモジュールとの間でデータを連絡する。
【００１０】
本機器は、除細動器の操作用に高圧回路１６を含む。その高圧回路は、除細動に必要な高圧パルスを生成し、それは、スイッチングロジック１４により適切な時間に、患者につながれた除細動器電極に接続される。本発明の実施においては、これらの除細動器電極は、患者のＥＣＧ信号を除細動パルスの出力前に受信するために使用される。その高圧回路は、心室細動を中断し、心臓を通常のリズムに戻すのに必要な、高圧のショックを提供する。除細動のために出力される、ショックレベルと波形は、自動的にモニタ内のプロセッサによって計算されるか、又は、経験のある医療技術者や医師により手動で設定され得る。
【００１１】
本機器内のモジュール用の電力は、電力処理回路２０により供給される。その電力処理回路２０は、バッテリー２８、ＡＣサプライ２４、又はＤＣサプライ２６から、電力を供給する。ＡＣ及びＤＣサプライも回路に接続され、その回路は、モニタがこれらの外部電源から電力供給されると、バッテリーをチャージする。
【００１２】
本機器により得られる情報は、コミュニケーション回路３０により、他の機器や場所に送信されてもよい。これは、ネットワーク接続、ＲＳ２３２接続、又は無線接続（例えば、ＢＬＵＥＴＯＯＴＨ（登録商標）、ＷｉＦｉ、赤外線など）を含む。
【００１３】
本機器は、キーパッド・コントローラ３２により操作され調整される。一実施例では、キーパッドは、薄膜キーパッドであり、環境問題に対して配慮している。例えば、オン／オフスイッチ、除細動用のパワーレベルやショック出力コントローラ、プリンター、その他の機能などのコントロールも供給されてもよい。
【００１４】
本モニタは、中央処理装置（ＣＰＵ）４０のコントロールにより操作される。ＣＰＵは、リードオンリーメモリ（ＲＯＭ）３８に記録されたソフトウェアをランする。フラッシュＲＯＭもまた、機能設定や、波形情報などの新規の又は特別な機能のコントロールの用に提供される。リムーバブルメモリ３６は、患者の心室細動などの症状の間に生成される情報を記録するのに提供される。除細動の前後の心臓波形などの患者の情報も、リムーバブルメモリ３６に記録され、そのメモリは着脱可能であり、次の治療者に点検、記録保持、及びその後の診断のために渡される。そのリムーバブルメモリ３６は、治療者がマイクロフォン４８に話した音声情報を記録することもできる。
【００１５】
警報器３４は、固体の音源を駆動するのに使用され、その音源は、短い「鳥のさえずるような」音を生成する。この音により、機器に常駐の自己診断が、低バッテリーレベルや患者の危険状態に関する回路群内の動作不良を感知したことを知らせる。また、本機器の前に専用のディスプレイがあり、大きい、点滅する、赤いＸを提示して低バッテリーレベルを示したり、大きい、固定した、赤いＸを提示して回路不良を知らせる。
【００１６】
トーン４６は、ソフトウェアで生成され、そしてスピーカー４２を駆動するのに使用される。この機能は、例えば心臓の拍動の各サイクルに応答した短いトーンなどの特定のモニタリング機能の間に使用される。トーンの組合せは、患者の生命に関する測定値が、選択されたアラームの範囲の外にあるとき、耳に聞こえるアラートやアラームを発生するのに使用される。
【００１７】
スピーカー４２は、予め記録された音声指示や、保存、再生された情報を、音声出力回路４４から再生することができる。
【００１８】
ディスプレイ５０は、患者のパラメーターや波形を提示し、以下でより詳細に議論される。表示されるべき情報は、ディスプレイコントローラー５２に供給され、そのコントローラーは、ディスプレイ上に情報を表示するための必要な信号を駆動する。本発明に従って構成した一実施形態では、そのディスプレイはカラーＬＣＤディスプレイであるが、例えばＣＲＴディスプレイなど他のタイプのディスプレイが特定の実施形態では使用されてもよい。そのディスプレイコントローラー５２は、カラーマップ記憶装置５４により供給されるカラーマップに応じて、情報を表示する。本発明に従って構成した一実施形態では、そのカラーマップは、表形式で記憶される。他の実施形態では、そのカラーマップは、アルゴリズムとして又は他のプログラムされた情報として記憶されてもよい。
【００１９】
図２は、本発明の原理に従って構成した、病院の中で提供されることのある通常の操作中のモニタのディスプレイ７０を示す。室内照明の状況の下では、そのディスプレイ７０の背景は黒であるか、又は参照符号７８で示されるようにグレイである。ディスプレイ７０の最上部にある図形情報は、黒の背景に対して白で示される。表示される各種の情報を容易に区別し関連付けるため、数値及び図形情報は、カラーで表示される。例えば、心拍数の数値８０と、下に７２で示される、その心臓のトレースは緑で表示される。２８と読めるＣＯ２数値及びＣＯ２のトレースは、７４で、ライトブルーで表示される。プレチスモグラフトレース７６は、紫で表示される。黒若しくはグレイの背景に対してそうしたカラーの表示は、周囲の照明の条件が良好でない室内で観察するのに望ましいことがわかってきた。
【００２０】
図３は、パッケージされた電極セットとアダプターケーブルを示しており、そのアダプターケーブルは、図１の除細動器・モニタの電極入力に接続されてもよい。アダプターケーブル９０は、一般的には３から５メーターの長さであり、一端にコネクター２２ａを有し、そのコネクターは、除細動器の電極接続ソケットに差し込まれ、他端のコネクター２２ｂは、矢印で示されるように、電極セットのコネクター８８に接続される。このアダプターケーブルは、２つ芯線を有し、電極セットの各電極用である。
【００２１】
電極セットは、電極８０ａと８０ｂの２つを含む。電極はそれぞれ、電極ケーブル８６ａ、８６ｂを有し、留め具８４ａ及び８４ｂで電極に接続されている。電極ケーブル８６ａ、８６ｂは、電極セットコネクター８８で終端し、電気的にそれらの電極ケーブルはアダプターケーブル９０のワイヤに接続される。各電極は、剥離ライナーでカバーされ、その剥離ライナーは、患者に接触する導電性粘着ジェル表面を、使用前に異物が混入することから保護する。各剥離ライナーの終端は、タブ８２ａ、８２ｂであり、そのタブは救助する人に握られてもよく、そして剥離ライナーは粘着ジェルからはがし取られる。電極は、使用前には、ラミネートフォイルエンベロープ（laminated  foil  envelope）１００の中にシールされる。即ち、電極ケーブル８６ａ、８６ｂの周囲をシールし、そこにはそのエンベロープの出口がある。
【００２２】
図４は、ワイヤ８０ａ、８０ｂ、及びフォイルエンベロープ１００の部分的な断面図であり、使用前にはそのエンベロープの中にワイヤは保管されている。エンベロープの壁は、パッケージされた電極のどちらの側にもあり、内側ポリマー層１０４に積層されている外側のポリマー層１０２を含む。フォイルエンベロープの内部には、２つの電極８０ａ、８０ｂがある。この具体例では、その電極は、相互に接触する支持層と、エンベロープの各壁に対向する剥離ライナーと共に、エンベロープの中に保管される。各電極は、非電導性の支持層９２ａ、９２ｂを有し、それは金属化電極層９４ａ、９４ｂに接着しており、その電極層は例えばスズで形成されてもよい。使用前にジェル層を保護するようカバーするのが、剥離ライナー９８ａ、９８ｂである。一般的には、そのような剥離ライナーは、処理されたクラフト紙やポリマーシートで形成され、その剥離ライナーが容易に粘着ジェルから剥がされる。剥離ライナーの層は、単にジェル層表面をカバーするためだけに使用され、剥がされたものは処分されるので、一般的には薄く高価でない素材のいずれかから作られる。しかし、本発明の原理に従って、図４の具体例の剥離ライナー層９８ａ、９８ｂは、ポリエチレン発泡体で作られ、一般的な剥離ライナーシートよりもかなり厚い。一般的な１０００分の７インチ（０．０１７７ｃｍ）の厚さではなく、その発泡体の剥離ライナーシート層９８ａ、９８ｂは１６分の１インチ（０．０６２５“）（０．１５８７ｃｍ）の厚さである。
【００２３】
フォイルエンベロープに対向する電極層の厚みが増加したことによる効果が、図５ａから理解することができる。一般的な薄い剥離ライナー層は、キャパシタンスの誘電層として作用し、そこでは、キャパシタンスのプレートは、一方は導電性ジェルで、他方はエンベロープのフォイルである。一般的な薄い剥離ライナーは、薄い誘電性と、それ故にかなり大きなキャパシタンスを供給するだろう。しかし、本発明のこの具体例では、その剥離ライナーは、かなり厚いポリエチレン発泡体で厚く作られている。剥離ライナーのより厚い誘電層は、そのキャパシタンスを低減させ、それゆえ、このキャパシタンスの効果は、アダプターケーブル９０や電極セット８０ａ、８０ｂの全体のキャパシタンスに及ぶだろう。図５ａは、これらのキャパシタンスを示し、例えば、そこでは、電極はフォイルエンベロープ内に、剥離ライナーと共に保管され、その剥離ライナーは、互いに接触し、支持層はフォイルエンベロープの壁に対向している。この場合には、各電極の支持とフォイルエンベロープの対向壁面との間には、キャパシタンスＣＢ−Ｅが存在し、金属シート９４ａ、９４ｂは、キャパシタンスの一方のプレートであって、エンベロープ１００の金属シートは他方のプレートである。これらのプレート間の誘電体のキャパシタンスを低減するため、各電極の支持９２ａ、９２ｂは、例えば１６分の１インチ（０．１５８７ｃｍ）厚のポリエチレン発泡体を支持素材に使用するなどで、厚く作られる。パッケージの中心のキャパシタンス、ジェル層９６ａ、９６ｂ間のＣＧ−Ｇは、このキャパシタンスのより厚い誘電体である各電極の剥離ライナー９８ａ、９８ｂを使用することで低減される。キャパシタンスＣＥは、フォイルパッケージ１００がない状態での電極セットのキャパシタンスであり、キャパシタンスＣＡは、アダプターケーブル９０のキャパシタンスである。剥離ライナー及び／又は電極の支持層に厚い素材を使用することで、キャパシタンスＣＢ−ＥとＣＧ−Ｇは低減され、それにより、除細動器１２０でみられる全体のキャパシタンスは低減される。その除細動器にはアダプターケーブルコネクター２２ａが接続される。
【００２４】
図５ｂと５ｃは、２つの方法で、一対の電極パッドがフォイルエンベロープの中に配置されることが示されている。図５ｂでは、２つのパッドの支持層が、互いに接触しており、即ち、剥離ライナーはエンベロープの壁に対向している。図５ｃは、電極パッドの第二の配置を示し、２つのパッドの剥離ライナーが互いに接触し、パッドの支持層がフォイルエンベロープの壁に対向している。図５ｄは、等価な電気回路であり、パッドが図５ｂで示されるようにパッケージされたときに、有効な抵抗とキャパシタンスとを示している。
【００２５】
図５ｅと５ｆは、２つの方法で、一対の電極パッドがフォイルエンベロープの中に配置されることが示されている。図５ｅでは、上部のパッドの剥離ライナーは下部のパッドの支持層と接触している。図５ｆでは、上部パッドの支持層は下部パッドの剥離ライナーと接触している。図５ｇは、等価な電気回路であり、パッドが図５ｆで示されるようにパッケージされたときに、有効な抵抗とキャパシタンスとを示している。
【００２６】
図６は、本発明の原理に従って構成した、他の除細動器電極の分解組立図である。発泡体の支持層１３は、プルタブ１１を一端に有し、剥離ライナーを電極から分離するのに用いる。この例では、支持層１３の周辺部は剥離ライナーにシールされ、支持層と剥離ライナーとの間にジェル層のための防湿区画を形成し、その支持層とその剥離ライナーの両方が湿気を通さない。電極の他の層は、支持層１３の破線１５の内部に重ねられている。導電層２３は、スズ層１７と、ポリマー素材からなる補強層１９とから形成され、その補強層の上にそのスズ層は張り合わされる。導電層２３は、粘着性の層２１によって、支持層１３に付着される。これらの層は、リベット（図示されない）の挿入用の穴２７を有し、そのリベットに電極のワイヤがスウェージでつけられる。リベットカバー２９はリベットに重ねられ、リベットが患者の肌に直接接触するのを防ぐ。電気的に導電性のジェル層４１は、導電層２３の残りの部分に重ねられる。電極は、剥離ライナー３１でカバーされ、その剥離ライナーの周辺は、支持層１３周縁部にシールされる。厚い誘電体層を電極間、又は電極とフォイルパッケージの間のキャパシタに供給するため、剥離ライナー３１及び／又は支持層１３は、ポリマー発泡体層などの厚い素材で構成される。電極がフォイルポーチ内に一貫してパッケージされることになっていて、常にパッケージの壁と対向するなら、剥離ライナーを横切るジェル対ジェルのキャパシタンスが最小限であると仮定すれば、厚い誘電体層を支持層に使用することだけが必要ということが理解されるだろう。もし電極がパッケージされることになっていて、剥離ライナーが常にパッケージの壁と対向するなら、より重要性をもつのは、剥離ライナーの厚さである。もちろん、剥離ライナーと電極の支持層の両方が厚い誘電体素材でできているのであれば、それらはパッケージされているので電極の向きについての関心は必要ないだろう。
【００２７】
図７と８は、本発明の他の電極セットの例を示し、支持層及び／又は剥離ライナー層は、２層構造からなり、１層の厚さが、その層の所望の電導特性のために選択されることが可能になる。この例では、ジェル層４１は、電極ディスク１７に重ねられ、その電極ディスクに電極ワイヤ８６が取り付けられる。リベットカバー２９は、電極ワイヤ８６が取り付けられている層の部分に重ねられる。それらの層は、プルタブ１１を一端に有する支持層１３に取り付けられる。電極ディスク１７と支持層１３との間には、非導電性のバリア層３９があり、それは電極ディスクと支持層の双方に取り付けられている。このバリア層３９の厚さは、電極ディスクと支持層の外側にある如何なる金属素材（例えばフォイル保管ポーチなど）との間で、所望の低減されたキャパシタンスを提供するように選択することができる。
【００２８】
剥離ライナーは、同様に、層構造からなる。非導電性の剥離ライナー層３１は、プルタブ３３を備え、粘着層により第２バリア層３５に取り付けられる。このバリア層３５の厚さは、２層の剥離ライナーに厚みを与え、その厚みは、電極の保管中、ジェル層４１と、剥離ライナーに対向する如何なる金属層との間で、所望の誘電体厚さを、低減されたキャパシタンスを提供するように選択されてもよい。図８は、そうした２つの電極を示し、その電極は、電極コネクタ８８に接続される電極ケーブル８６ａ、８６ｂを有し、２層の剥離ライナー１１２が部分的にその電極とジェル層４１から剥がされている。図７及び図８の例において、支持層と剥離ライナー用に同じ素材を一貫して使用することができ、選択した厚さのバリア層を用いて、電極にとって所望の誘電体特性を提供する。支持層又は剥離ライナー若しくはその両方が、所定の実施例では所望のように２層構造から構成されてもよい。
【図１】
0006042722.tif 000002
【図２】
0006042722.tif 000003
【図３】
0006042722.tif 000004
【図４】
0006042722.tif 000005
【図５ａ】
0006042722.tif 000006
【図５ｂ】
0006042722.tif 000007
【図５ｃ】
0006042722.tif 000008
【図５ｄ】
0006042722.tif 000009
【図５ｅ】
0006042722.tif 000010
【図５ｆ】
0006042722.tif 000011
【図５ｇ】
0006042722.tif 000012
【図６】
0006042722.tif 000013
【図７】
0006042722.tif 000014
【図８】
0006042722.tif 000015